(57)【要約】【課題】携帯端末をインターホン親機の代わりに使用する場合に、居住者が携帯端末の設定を容易に行うことを可能とするインターホンシステムを提供する。【解決手段】宅外に設置され居住者を呼び出して通話可能とするインターホン子機１と、宅内に設置されインターホン子機１との間で通話可能とするインターホン親機２と、インターホン子機１からの呼び出しに基づいて、インターホン子機１を携帯端末との間で通話可能とする通話接続手段とを備え、インターホン親機２は、インターホン親機２に接続されている機器を認識する認識手段と、上記認識手段で認識された上記機器に対応するＵＲＬ情報を示す画像４０を表示可能な表示部２４とを有している。【選択図】図１
2012029242.tif 000002
【特許請求の範囲】
【請求項１】
宅外に設置され居住者を呼び出して通話可能とするインターホン子機と、宅内に設置され前記インターホン子機との間で通話可能とするインターホン親機と、前記インターホン子機からの呼び出しに基づいて、前記インターホン子機を携帯端末との間で通話可能とする通話接続手段とを備え、前記インターホン親機は、前記インターホン親機に接続されている機器を認識する認識手段と、前記認識手段で認識された前記機器に対応するＵＲＬ情報を示す画像を表示可能な表示部とを有してなることを特徴とするインターホンシステム。
【発明の詳細な説明】
【技術分野】
【０００１】
本発明は、インターホンシステムに関するものである。
【背景技術】
【０００２】
従来から、居住者が外出中であっても来訪者への対応が可能なインターホンシステムとして、例えば、図７に示すようなインターホンシステムが提案されている（特許文献１参照）。
【０００３】
図７に示した構成のインターホンシステムは、玄関等の宅外に設置され居住者を呼び出して通話するための２つのインターホン子機５０と、宅内に設置され各インターホン子機５０からの呼び出しにそれぞれ応答するためのインターホン親機５１とを備えている。なお、各インターホン子機５０には、居住者を呼び出すための呼出ボタン５２や、マイクおよびスピーカを具備する通話部（図示せず）などがそれぞれ備えられている。
【０００４】
また、図７に示した構成のインターホンシステムは、２つのインターホン子機５０およびインターホン親機５１に接続されたＩＰ変換アダプタ５３と、ＩＰ変換アダプタ５３および公衆ＩＰ通信網５４に接続されたゲートウェイ５５とを備えており、インターホン子機５０は、ＩＰ変換アダプタ５３、ゲートウェイ５５、公衆ＩＰ通信網５４、携帯電話網５６、携帯電話網５６上に設けられた基地局５７を介して、居住者が携行する携帯端末５８と通信可能となっている。なお、公衆ＩＰ通信網５４と携帯電話網５６とは連携され、相互通信可能となっている。
【先行技術文献】
【特許文献】
【０００５】
【特許文献１】特開２００９−９４７２８号公報
【発明の概要】
【発明が解決しようとする課題】
【０００６】
ところで、図７に示したインターホンシステムでは、来訪者によりインターホン子機５０の呼出ボタン５２が押操作されると、インターホン子機５０が、ＩＰ変換アダプタ５３、ゲートウェイ５５、公衆ＩＰ通信網５４等を介して、居住者が携行する携帯端末５８と通信を行い、インターホン子機５０と携帯端末５８との間で音声信号などを授受することで、居住者が外出中であってもインターホン子機５０からの呼び出しに対して携帯端末５８で応答することが可能となる。
【０００７】
しかしながら、インターホン子機５０からの呼び出しに対して携帯端末５８で応答できるようにするためには、居住者は、インターホン子機５０からの呼び出しに応答可能なアプリケーションソフトを携帯端末５８にインストールした後に、２つのインターホン子機５０およびインターホン親機５１に接続されたＩＰ変換アダプタ５３などの機器の情報を携帯端末５８に設定する必要があるので、非常に手間が掛かる。
【０００８】
本発明は上記事由に鑑みて為されたものであり、その目的は、携帯端末をインターホン親機の代わりに使用する場合に、居住者が携帯端末の設定を容易に行うことを可能とするインターホンシステムを提供することにある。
【課題を解決するための手段】
【０００９】
本発明のインターホンシステムは、宅外に設置され居住者を呼び出して通話可能とするインターホン子機と、宅内に設置され前記インターホン子機との間で通話可能とするインターホン親機と、前記インターホン子機からの呼び出しに基づいて、前記インターホン子機を携帯端末との間で通話可能とする通話接続手段とを備え、前記インターホン親機は、前記インターホン親機に接続されている機器を認識する認識手段と、前記認識手段で認識された前記機器に対応するＵＲＬ情報を示す画像を表示可能な表示部とを有してなることを特徴とするインターホンシステム。
【発明の効果】
【００１０】
本発明のインターホンシステムにおいては、携帯端末をインターホン親機の代わりに使用する場合に、居住者が携帯端末の設定を容易に行うことを可能とするという効果がある。
【図面の簡単な説明】
【００１１】
【図１】実施形態１のインターホンシステムを示す概略構成図である。
【図２】同上のインターホンシステムを示す回路ブロック図である。
【図３】同上のインターホンシステムを示すシステム構成図である。
【図４】アプリケーションソフトを携帯端末にダウンロードする動作を説明するためのシーケンス図である。
【図５】（ａ）は携帯端末の表示部に表示された映像の概略説明図、（ｂ）は携帯端末の表示部に表示された他の映像の概略説明図である。
【図６】実施形態２のインターホンシステムを示す概略構成図である。
【図７】従来例を示すインターホンシステムのシステム構成図である。
【発明を実施するための形態】
【００１２】
（実施形態１）
以下、本実施形態のインターホンシステムについて、図１〜図５を参照しながら説明する。
【００１３】
本実施形態のインターホンシステムは、住宅４２の宅外に設置され居住者を呼び出して通話可能とするインターホン子機１と、住宅４２の宅内に設置されインターホン子機１との間で通話可能とするインターホン親機２とを備えている。なお、インターホン子機１は、信号線６０を介してインターホン親機２に接続され、インターホン親機２と通信可能となっている。また、インターホン子機１とインターホン親機２とは、無線信号により通信可能としてもよい。
【００１４】
また、本実施形態のインターホンシステムは、インターホン親機２に信号線６１を介して接続された転送装置３と、転送装置３およびワイドエリアネットワーク（ＷＡＮ）８に接続されたルータ６とを備えており、インターホン親機２は、転送装置３、ルータ６、ＷＡＮ８を介して、居住者が携行する携帯端末７と通信可能となっている。また、インターホン子機１は、インターホン親機２、転送装置３、ルータ６、ＷＡＮ８を介して携帯端末７と通信可能となっている。なお、ルータ６とＷＡＮ８との間は、無線信号を用いて通信可能となっている。また、ＷＡＮ８と携帯端末７との間は、無線信号を用いて通信可能となっている。さらに、転送装置３は、信号線６１を介してインターホン親機２に接続されインターホン親機２と通信可能となっているが、インターホン親機２と無線信号により通信可能としてもよい。また、転送装置３は、インターホン親機２と一体であってもよい。
【００１５】
ルータ６は、信号線６２を介して転送装置３に接続され転送装置３と通信可能となっているが、転送装置３と無線信号により通信可能としてもよい。
【００１６】
ＷＡＮ８には、携帯端末７をインターホン子機１からの呼び出しに応答可能とするアプリケーションソフトなどが蓄積されたサーバ９が接続されている。本実施形態では、転送装置３と、ルータ６と、ＷＡＮ８とで、インターホン子機１と携帯端末７との間で通話可能とする通話接続手段を構成している。なお、ＷＡＮ８に、ＷＡＮ８と相互に通信可能な携帯電話網（図示せず）を連携させてもよい。
【００１７】
携帯端末７は、例えば携帯電話機であって、撮像素子を有するカメラ部（図示せず）と、液晶ディスプレイ等からなる表示部４４（図５参照）と、種々の操作釦（図示せず）とを備えている。なお、上記操作釦には、上記カメラ部等を操作するためのものを含んでいる。
【００１８】
インターホン子機１は、図１および図２に示すように、居住者を呼び出すための呼出釦１２と、居住者と通話するための通話部（図示せず）と、来訪者などを撮像するカメラ部１３とを備えている。
【００１９】
上記通話部は、第１のマイク部（図示せず）および第１のスピーカ部（図示せず）と、上記第１のマイク部からの第１の音声信号や、来訪者による呼出釦１２の押操作に伴い居住者を呼び出すための呼出信号を伝送部１１へ送出する音声処理部（図示せず）とを備えている。
【００２０】
また、インターホン子機１は、カメラ部１３で撮像された映像信号、上記音声処理部から送出された上記第１の音声信号および上記呼出信号を、信号線６０を介してインターホン親機２へ送信する伝送部１１と、カメラ部１３で撮像された上記映像信号を伝送部１１に送出する映像処理部１４とを備えている。
【００２１】
インターホン親機２は、インターホン子機１からの呼び出しに応答するための応答釦１８を具備する操作部２１と、インターホン子機１の伝送部１１から送信された上記呼出信号、上記映像信号、上記第１の音声信号を、信号線６０を介して受信する伝送部２２と、液晶ディスプレイ等からなる表示部２４と、伝送部２２で受信された上記映像信号を表示部２４に表示させる映像処理部２３とを備えている。
【００２２】
また、インターホン親機２は、来訪者と通話するためのスピーカ部２６およびマイク部２７と、伝送部２２で受信された上記第１の音声信号をスピーカ部２６に出力させる音声処理部２５と、操作部２１、伝送部２２、映像処理部２３、音声処理部２５などを制御するＣＰＵ等の処理プロセッサからなる制御部２０とを備えている。なお、制御部２０は、ＣＰＵ等の処理プロセッサを用いているが、例えばディスクリート部品で回路を構成してもよい。
【００２３】
音声処理部２５は、マイク部２７からの第２の音声信号をインターホン親機２の伝送部２２へ送出可能となっている。
【００２４】
伝送部２２は、音声処理部２５から送出された上記第２の音声信号を、信号線６０を介してインターホン子機１の伝送部１１へ送信可能となっている。ここで、インターホン子機１の伝送部１１は、インターホン親機２の伝送部２２から送信された上記第２の音声信号を、信号線６０を介して受信可能となっており、受信した上記第２の音声信号をインターホン子機１の上記音声処理部へ送出する。上記音声処理部は、インターホン子機１の伝送部１１から送出された上記第２の音声信号をインターホン子機１の上記第１のスピーカ部に出力させる。したがって、インターホン子機１とインターホン親機２との間で通話が可能となる。
【００２５】
また、インターホン親機２の伝送部２２は、受信した上記呼出信号、上記映像信号、上記第１の音声信号を制御部２０へ送出する。
【００２６】
制御部２０は、インターホン親機２の伝送部２２から送出された上記呼出信号に基づいて、インターホン親機２の音声処理部２５を介してインターホン親機２のスピーカ部２６から呼出音を鳴動させる。
【００２７】
また、インターホン親機２は、信号線６１を介して転送装置３と通信する通信部２８と、制御部２０を動作させるためのプログラムなどが格納された不揮発性のメモリ等からなるメモリ部２９とを備えている。
【００２８】
また、制御部２０は、インターホン親機２の伝送部２２から送出された上記呼出信号、上記映像信号、上記第１の音声信号を通信部２８へ送出する。ここにおいて、メモリ部２９には、制御部２０がインターホン親機２の伝送部２２から送出された上記呼出信号などを、居住者が携行する携帯端末７に転送するための動作プログラムが格納されており、制御部２０は、この動作プログラムに基づいて、インターホン親機２の伝送部２２から送出された上記呼出信号などを通信部２８へ送出する。なお、制御部２０は、インターホン親機２の操作部２１に設けられた操作釦１９（図１参照）で、インターホン親機２の伝送部２２から送出された上記呼出信号などを、携帯端末７に転送するか否かを設定することが可能となっている。言い換えれば、居住者は、インターホン親機２の操作部２１の操作釦１９で、携帯端末７をインターホン親機２の代わりに使用するか否かを適宜選択することが可能となっている。
【００２９】
したがって、制御部２０は、居住者が携帯端末７をインターホン親機２の代わりに使用する場合に、インターホン親機２の伝送部２２から送出された上記呼出信号、上記映像信号、上記第１の音声信号を通信部２８へ送出する。
【００３０】
通信部２８は、制御部２０から送出された上記呼出信号、上記映像信号、上記第１の音声信号を、信号線６１を介して転送装置３へ送信する。
【００３１】
また、制御部２０は、インターホン親機２に接続されている機器（図１では、インターホン子機１と転送装置３）と各信号線６０，６１等を介して相互通信することによって、上記機器を認識することが可能となっており、インターホン親機２に接続されている上記機器を認識する認識手段を、制御部２０で構成している。
【００３２】
ところで、インターホン親機２は、図１に示すように、上記認識手段で認識された上記機器に対応する第１のＵＲＬ情報を示すクイックレスポンスコード（ＱＲコード）からなる第１の画像４０を表示部２４に表示させる。なお、第１の画像４０は、ＱＲコードを例示しているが、これを限定するものではない。
【００３３】
第１の画像４０は、携帯端末７においてインターホン子機１からの呼び出しに応答可能とするための第１のアプリケーションソフトを、ＷＡＮ８経由で携帯端末７にダウンロードさせるためのものであり、例えば居住者が携帯端末７の上記カメラ部で第１の画像４０を携帯端末７に読み込ませた場合に、上記第１のＵＲＬ情報を携帯端末７の表示部４４に表示させる。なお、上記第１のＵＲＬ情報は、上記第１のアプリケーションソフトが蓄積されたサーバ９のアドレスであり、上記第１のアプリケーションソフトは、上記認識手段で認識された上記機器に対応するものである。
【００３４】
ここにおいて、上記第１のアプリケーションソフトをＷＡＮ８経由で携帯端末７にダウンロードする動作を、図４を参照しながら説明する。
【００３５】
居住者は、インターホン親機２の操作釦１９で表示部２４に第１の画像４０を表示させてから、携帯端末７の上記カメラ部で表示部２４に表示された第１の画像４０を携帯端末７に読み込む。次に、携帯端末７の表示部４４に表示された上記第１のＵＲＬ情報を、携帯端末７の上記操作釦で適宜選択することによって、携帯端末７が、ＷＡＮ８経由で、上記第１のアプリケーションソフトが蓄積されたサーバ９にアクセスする。ここで、サーバ９は、サーバ９に予め登録された携帯端末７からのアクセスがある場合に、上記第１のアプリケーションソフトをＷＡＮ８経由で携帯端末７にダウンロードすることを許可する。つまり、携帯端末７がＷＡＮ８経由でサーバ９にアクセスすると、居住者は上記第１のアプリケーションソフトを携帯端末７にダウンロードすることが可能となる。そして、上記第１のアプリケーションソフトを携帯端末７にダウンロードした後に、上記第１のアプリケーションソフトを携帯端末７にインストールする。
【００３６】
したがって、居住者は、インターホン親機２の操作釦１９で表示部２４に第１の画像４０を表示させてから、携帯端末７の上記カメラ部で表示部２４に表示された第１の画像４０を携帯端末７に読み込み、携帯端末７の表示部４４に表示された上記第１のＵＲＬ情報を、携帯端末７の上記操作釦で適宜選択するだけで、携帯端末７がＷＡＮ８経由でサーバ９にアクセスし、上記第１のアプリケーションソフトを携帯端末７にダウンロードすることが可能となる。また、第１の画像４０はインターホン親機２の上記認識手段で認識された上記機器に対応する上記第１のＵＲＬ情報を示すものであって、上記第１のアプリケーションソフトは上記認識手段で認識された上記機器に対応するものであるので、居住者は、上記第１のアプリケーションソフトを携帯端末７にダウンロードした後に、上記認識手段で認識された上記機器の情報を携帯端末７に設定する作業が不要となる。その結果、居住者は、携帯端末７をインターホン親機２の代わりに使用する場合に、携帯端末７の設定を容易に行うことが可能となる。
【００３７】
転送装置３は、インターホン親機２の通信部２８から送信された上記呼出信号、上記映像信号、上記第１の音声信号を、信号線６１を介して受信する通信部３１と、通信部３１などを制御するマイクロコンピュータからなる制御部３０とを備えている。なお、制御部３０は、マイクロコンピュータを用いているが、例えばディスクリート部品で回路を構成してもよい。
【００３８】
また、転送装置３は、転送装置３を操作するための操作部３２と、操作部３２による操作の結果を表示する液晶ディスプレイ等からなる表示部３３と、制御部３０を動作させるためのプログラムなどが格納された不揮発性のメモリ等からなるメモリ部３４とを備えている。
【００３９】
通信部３１は、受信した上記呼出信号、上記映像信号、上記第１の音声信号を制御部３０へ送出する。
【００４０】
制御部３０は、通信部３１から送出された上記呼出信号、上記映像信号、上記第１の音声信号を、制御部３０およびルータ６に接続されたルータインターフェース部３５を介してルータ６へ送出する。
【００４１】
ルータ６は、信号線６２を介してルータインターフェース部３５に接続されており、制御部３０から送出された上記呼出信号、上記映像信号、上記第１の音声信号を、ＷＡＮ８を介して携帯端末７に送出する。
【００４２】
したがって、インターホン子機１は、インターホン親機２、転送装置３、ルータ６、ＷＡＮ８を介して携帯端末７と通信可能となっている。
【００４３】
以下、インターホン子機１からの呼び出しに対して携帯端末７で応答するための動作について簡単に説明する。なお、携帯端末７には、上記第１のアプリケーションソフトが予めインストールされているものとして説明する。
【００４４】
来訪者がインターホン子機１の呼出釦１２を押操作すると、インターホン子機１の上記音声処理部は上記呼出信号をインターホン子機１の伝送部１１へ送出する。伝送部１１は、呼出釦１２から送出された上記呼出信号を、信号線６０を介してインターホン親機２の伝送部２２へ送信する。
【００４５】
インターホン親機２の伝送部２２は、インターホン子機１の伝送部１１から送信された上記呼出信号を、信号線６０を介して受信すると、受信した上記呼出信号をインターホン親機２の制御部２０へ送出する。制御部２０は、インターホン親機２の伝送部２２から送出された上記呼出信号に基づいて、インターホン親機２の音声処理部２５を介してインターホン親機２のスピーカ部２６から呼出音を鳴動させるとともに、インターホン子機１のカメラ部１３で撮像された上記映像信号を、インターホン親機２の映像処理部２３を介して表示部２４に表示させる。ここで、制御部２０は、居住者が携帯端末７をインターホン親機２の代わりに使用する場合に、インターホン親機２の伝送部２２から送出された上記呼出信号および上記映像信号をインターホン親機２の通信部２８へ送出する。通信部２８は、インターホン親機２の制御部２０から送出された上記呼出信号および上記映像信号を、転送装置３、ルータ６、ＷＡＮ８を介して、居住者が携行する携帯端末７へ送信する。
【００４６】
携帯端末７は、インターホン親機２の通信部２８から送信された上記呼出信号および上記映像信号を、転送装置３、ルータ６、ＷＡＮ８を介して受信すると、携帯端末７に備えられた第２のスピーカ部（図示せず）から呼出音を鳴動させるとともに、インターホン子機１のカメラ部１３で撮像された上記映像信号に基づく映像４３を携帯端末７の表示部４４に表示させる（図５（ａ）参照）。
【００４７】
したがって、居住者は、携帯端末７の上記操作釦を押操作することで、インターホン子機１と携帯端末７との間に、インターホン親機２、転送装置３、ルータ６、ＷＡＮ８を介して通話路が形成され、インターホン子機１からの呼び出しに対して携帯端末７で応答することが可能となる。
【００４８】
ここで、上述のインターホンシステムは、携帯端末７の上記操作釦が押操作され居住者が通話する場合に、携帯端末７に備えられた第２のマイク部（図示せず）からの第３の音声信号を、ＷＡＮ８、ルータ６、転送装置３、信号線６１を介してインターホン親機２の通信部２８で受信する。
【００４９】
インターホン親機２の通信部２８は、受信した上記第３の音声信号をインターホン親機２の制御部２０へ送出する。制御部２０は、インターホン親機２の通信部２８から送出された上記第３の音声信号をインターホン親機２の伝送部２２へ送出する。インターホン親機２の伝送部２２は、制御部２０から送出された上記第３の音声信号を、信号線６０を介してインターホン子機１の伝送部１１へ送信する。インターホン子機１の伝送部１１は、インターホン親機２の伝送部２２から送信された上記第３の音声信号を、信号線６０を介して受信して、受信した上記第３の音声信号をインターホン子機１の上記音声処理部へ送出する。インターホン子機１の上記音声処理部は、インターホン子機１の伝送部１１から送出された上記第３の音声信号を、インターホン子機１の上記第１のスピーカ部に出力させる。したがって、携帯端末７とインターホン子機１との間で通話が可能となる。
【００５０】
以上説明した本実施形態のインターホンシステムでは、インターホン親機２の表示部２４に第１の画像４０を表示させ、居住者が携帯端末７の上記カメラ部で第１の画像４０を携帯端末７に読み込み、携帯端末７の表示部４４に表示された上記第１のＵＲＬ情報を、携帯端末７の上記操作釦で適宜選択するだけで、携帯端末７がＷＡＮ８経由でサーバ９にアクセスし、上記第１のアプリケーションソフトを携帯端末７にダウンロードすることが可能となる。また、第１の画像４０はインターホン親機２の上記認識手段で認識された上記機器に対応する上記第１のＵＲＬ情報を示すものであって、上記第１のアプリケーションソフトは上記認識手段で認識された上記機器に対応するものであるので、居住者は、上記第１のアプリケーションソフトを携帯端末７にダウンロードした後に、上記認識手段で認識された上記機器の情報を携帯端末７に設定する作業が不要となる。その結果、居住者は、携帯端末７をインターホン親機２の代わりに使用する場合に、携帯端末７の設定を容易に行うことが可能となる。
【００５１】
（実施形態２）
本実施形態のインターホンシステムの基本構成は実施形態１と同じであり、図６に示すように、インターホン親機２に、２台のインターホン子機１（１ａおよび１ｂ）と、電気錠からなる接続機器４とが接続されている点が実施形態１と相違する。なお、実施形態１と同様の構成要素には同一の符号を付して説明を適宜省略する。
【００５２】
インターホン親機２には、２台のインターホン子機１が接続されており、各インターホン子機１の伝送部１１は、各信号線６０を介してインターホン親機２の伝送部２２に接続されている。
【００５３】
また、インターホン親機２には玄関ドアを施解錠する電気錠からなる接続機器４が接続されており、接続機器４は信号線６３を介してインターホン親機２の制御部２０に接続されている。
【００５４】
インターホン親機２の制御部２０は、インターホン親機２の操作部２１等による押操作に基づいて、接続機器４に玄関ドアを解錠させる。
【００５５】
ところで、インターホン親機２は、図６に示すように、インターホン親機２に接続されている機器（図６では、２台のインターホン子機１、転送装置３および接続機器４）に対応する第２のＵＲＬ情報を示すＱＲコードからなる第２の画像４１を表示部２４に表示させる。なお、第２の画像４１は、ＱＲコードを例示しているが、これを限定するものではない。
【００５６】
第２の画像４１は、携帯端末７において各インターホン子機１からの呼び出しにそれぞれ応答可能とするための第２のアプリケーションソフトを、ＷＡＮ８経由で携帯端末７にダウンロードさせるためのものであり、例えば居住者が携帯端末７の上記カメラ部で第２の画像４１を携帯端末７に読み込ませた場合に、上記第２のＵＲＬ情報を携帯端末７の表示部４４に表示させる。なお、上記第２のＵＲＬ情報は、上記第２のアプリケーションソフトが蓄積されたサーバ９のアドレスであり、上記第２のアプリケーションソフトは、上記認識手段で認識された上記機器に対応するものである。また、上記第２のアプリケーションソフトは、例えば携帯端末７の上記操作釦を押操作することで、インターホン親機２の制御部２０を介して、接続機器４に玄関ドアを解錠させることが可能となるものである。
【００５７】
携帯端末７は、インターホン親機２の通信部２８から送信された上記呼出信号および上記映像信号を、転送装置３、ルータ６、ＷＡＮ８を介して受信すると、携帯端末７の上記第２のスピーカ部から呼出音を鳴動させるとともに、インターホン子機１のカメラ部１３で撮像された上記映像信号に基づく映像４３を携帯端末７の表示部４４に表示させる（図５（ｂ）参照）。
【００５８】
以上説明した本実施形態のインターホンシステムでは、２台のインターホン子機１からの呼び出しに対して携帯端末７でそれぞれ応答することが可能となり、且つ、携帯端末７の上記操作釦による押操作に基づいて接続機器４に玄関ドアを解錠させることが可能となる。
【符号の説明】
【００５９】
１  インターホン子機
２  インターホン親機
２４  表示部
４０  画像（第１の画像）
【図１】
2012029242.tif 000003
【図２】
2012029242.tif 000004
【図３】
2012029242.tif 000005
【図４】
2012029242.tif 000006
【図５】
2012029242.tif 000007
【図６】
2012029242.tif 000008
【図７】
2012029242.tif 000009